(57)【特許請求の範囲】
【請求項１】
ロール状にした未露光の写真フイルムを収納するフイルムロール室が形成された本体基部に、係合爪と係合孔との爪係合により後カバーが装着されるとともに、この装着時に本体基部と後カバーのどちらか一方の縁部が他方の溝に入り込むことによりフイルムロール室を遮光するレンズ付きフイルムユニットの遮光構造において、
前記溝の反フイルムロール室側の内壁の少なくとも一部に、前記溝の奥にいくにしたがってフイルムロール室側の内壁との隙間が前記縁部の厚みより狭くなる斜面を形成し、後カバーを本体基部に装着した際に、前記縁部がフイルムロール室側の内壁に密着されるとともに、前記係合孔を前記溝の反フイルムロール室側の壁の一部に形成し、前記係合孔の縁と係合爪との隙間から入射した外光が減衰して弱まる空間を前記溝の反フイルムロール室側の内壁面と前記縁部とで形成したことを特徴とするレンズ付きフイルムユニットの遮光構造。
【請求項２】
前記フイルムロール室側の内壁の奥に、前記装着時に前記縁部の頂部が当接される突条部を形成したことを特徴とする請求項１記載のレンズ付きフイルムユニットの遮光構造。
【請求項３】
ロール状にした未露光の写真フイルムを収納するフイルムロール室が形成された本体基部に、係合爪と係合孔との爪係合により後カバーが装着されるとともに、この装着時に本体基部の縁部が後カバーの外壁とリブとの間に形成された溝に入り込むことによりフイルムロール室を遮光するレンズ付きフイルムユニットの遮光構造において、
前記溝を構成する後カバーの外壁の一部に前記係合孔を形成し、前記後カバーの外壁の内側に前記溝の奥にいくにしたがって前記リブとの隙間が前記本体基部の縁部の厚みより狭くなる斜面を形成するとともに、前記フイルムロール室の後カバー側の上下隅に凹部を形成し、後カバーを本体基部に装着した際に、前記本体基部の縁部が前記リブに密着されるとともに前記凹部に前記リブの上下端がそれぞれ嵌合され、前記係合孔の縁と係合爪との隙間から入射した外光が減衰して弱まる空間を後カバーの外壁の内面と本体基部の縁部とで形成したことを特徴とするレンズ付きフイルムユニットの遮光構造。
【発明の詳細な説明】
【０００１】
【発明の属する技術分野】
本発明は、フイルムロール室の遮光をより確実にしたレンズ付きフイルムユニットの遮光構造に関するものである。
【０００２】
【従来の技術】
いつでも手軽に写真撮影を楽しむことができるように、本出願人よりレンズ付きフイルムユニットが市販されている。レンズ付きフイルムユニットは、簡単な撮影機構を組み込んだユニット本体に予め未露光の写真フイルムを内蔵させ、その表面を外装体で覆ったもので、購入したその場ですぐに写真撮影ができ、また撮影後にもそのまま現像取扱い店に出せばよいという簡便性から一般に広く利用されている。
【０００３】
このようなレンズ付きフイルムユニットでは、低価格化を実現するために構造が非常に簡略化されている。ユニット本体は、基本的に、撮影機構を取り付けるとともにパトローネ付きの写真フイルムを収納する本体基部と、この前後を覆うように被せられる前カバー及び後カバーとから構成されている。本体基部には、両側部にパトローネ室とフイルムロール室とが一体に設けられており、パトローネ室にはパトローネ本体が、またフイルムロール室にはロール状にした写真フイルムがそれぞれ収納される。
【０００４】
後カバーの本体基部への装着は、本体基部に形成された係合爪と、後カバーに形成された係合孔とが係合される爪係合によって行なわれる。また、後カバーの縁部には、これに沿って溝が形成されており、これに後カバーの縁部が挿入されることにより、パトローネ室及びフイルムロール室の遮光が図られている。
【０００５】
一方、ユニット本体を覆う外装体としては、表面に化粧用の印刷を施した紙箱を用いるのが一般的であるが、最近では、紙箱に代えて帯状のラベルを用いるレンズ付きフイルムユニットが知られている。このレンズ付きフイルムユニットは、ユニット本体の外周面に帯状のラベルを巻き付けて糊付けし、ユニット本体の両側部は露呈したままにするもので、ユニット本体の全面を紙箱で覆うものに比較して外形の小型イメージを高めることができるとともに、組み立てが簡便化されるという利点がある。
【０００６】
【発明が解決しようとする課題】
前述したように、パトローネ室及びフイルムロール室はユニット本体の両側部に設けられており、外装体として帯状のラベルを用いるレンズ付きフイルムユニットにおいては、その両側部が完全に露呈されることになる。特に未露光の写真フイルムがロール状に巻かれてそのまま収納されているフイルムロール室の遮光は完全でなくてはならない。しかしながら、本体基部と後カバーとの装着は、爪係合によって行なわれるため、この係合孔と係合爪との隙間から外光が射し込むと、後カバーの溝とこれに挿入されている本体基部の縁部との隙間から外光が回り込んでフイルムロール室内に浸入することがあった。
【０００７】
本発明は、このような問題点を解決するためになされたものであり、簡単な構造でありながら爪係合の隙間が外光に曝された状態でもフイルムロール室内を確実に遮光するレンズ付きフイルムユニットの遮光構造を提供することを目的とする。
【０００８】
【課題を解決するための手段】
上記目的を達成するために、本発明のレンズ付きフイルムユニットの遮光構造は、本体基部と後カバーのどちらか一方に形成された溝の反フイルムロール室側の内壁の少なくとも一部に、溝の奥にいくにしたがってフイルムロール室側の内壁との隙間が溝に挿入される縁部の厚みより狭くなる斜面を形成し、後カバーを本体基部に装着した際に、前記縁部がフイルムロール室側の内壁に密着されるとともに、係合爪が係合される係合孔を溝の反フイルムロール室側の壁の一部に形成し、前記係合孔の縁と係合爪との隙間から入射した外光が減衰して弱まる空間を前記溝の反フイルムロール室側の内壁面と前記縁部とで形成したものである。また、フイルムロール室側の内壁の奥に、前記装着時に前記縁部の頂部が当接される突条部を形成しておくのが好ましい。また、フイルムロール室の後カバー側の上下隅に凹部を形成し、この凹部に後カバーの外壁との間に溝を形成するリブの上下端がそれぞれ嵌合されるようにしたものである。
【０００９】
【発明の実施の形態】
本発明を実施したレンズ付きフイルムユニット１０の外観を示す図２において、ユニット本体１１は主にプラスチック成形され、中央部に外装用のラベル２０が巻き付けられている。ユニット本体１１には、前面に撮影レンズ１２，ファインダ対物レンズ１３，ストロボ発光部１４，及びストロボ充電スイッチ１５が、また上面にはシャッターボタン１６，巻上げノブ１７，及びカウンタ表示部１８が、さらに背面にはファインダ接眼レンズ１９がそれぞれ設けられている。
【００１０】
ラベル２０はレンズ付きフイルムユニット１０の外観を綺麗にするためのもので、表面に化粧用の印刷が施されている。ラベル２０の所要部には、ユニット本体１１に設けられた撮影レンズ１２，ファインダ対物レンズ１３，カウンタ表示部１８，及びファインダ接眼レンズ１９を外部に露呈させるための開口が設けられており、このラベル２０をユニット本体１１に巻き付けたままの状態で撮影操作ができるようになっている。
【００１１】
ユニット本体１１は、図３に分解して示したように、本体基部２１と、その上面，前面，及び左右側面の厚み方向のほぼ２／３を覆うように被せられる前カバー２２と、本体基部２１の背面，及び左右側面の厚み方向のほぼ１／３を覆うように被せられる後カバー２３とから構成されている。前カバー２２にはファインダ対物レンズ１３，ストロボ発光部１４を露呈させるファインダ対物窓２４，ストロボ発光窓２５が形成され、また後カバー２３にはファインダ接眼レンズ１９を露呈させるファインダ接眼窓２６が形成されている。
【００１２】
本体基部２１の前面には、シャッターベース２７ａ上に撮影レンズ１２，ファインダ光学系，フイルムコマ止め機構，及びシャッター機構等を組み付けてユニット化した露光ユニット２７が中央部に、またストロボユニット２８が上方部に取り付けられ、前カバー２２によって挟持される。
【００１３】
本体基部２１には、その両側部にパトローネ室３１とフイルムロール室３２とが一体に形成されている。パトローネ室３１にはパトローネ本体３３を、またフイルムロール室３２には未露光の写真フイルム３４をパトローネ本体３３から全て引き出した状態でロール状に巻いて収納する。パトローネ室３１とフイルムロール室３２との間には、写真フイルム３４の露光範囲を規定するためのアパーチャー３５が形成され、この前面に露光ユニット２５が組み付けられる。そして、写真フイルム３４を１コマ分ずつパトローネ本体３３内に巻き込みながら撮影が行われる。
【００１４】
パトローネ室３１及びフイルムロール室３２の底部は、いずれも開口となっており、後カバー２３の底面側に一体に設けられたプルトップ式の底蓋４１，４２によってそれぞれ塞がれる。なお、底蓋４１は、露光済みの写真フイルム３４が巻き込まれたパトローネ本体３３をパトローネ室３１から取り出すときの取出し蓋となる。
【００１５】
後カバー２３の本体基部２１への装着は、図１に示すように、後カバー２３の外壁２３ａに形成した係合孔４４に、本体基部２１の側部２１ａに形成した係合爪４５が係合される爪係合によって行なわれる。この爪係合が行なわれたときには、本発明の遮光構造によりパトローネ室３１及びフイルムロール室３２の各側部の遮光が行なわれる。
【００１６】
この遮光構造は、本体基部２１の側部２１ａの縁部４６と、後カバー２３の外壁２３ａとリブ５３とで形成され、縁部４６が挿入される溝４７とからなる。この溝４７の外寄りの内壁４７ａには、斜面５０ａを有するリブ５０が溝４７に沿って（図面に垂直な方向に）複数個形成されているとともに、溝４７の最奥部には、溝４７内に縁部４６を挿入したときに縁部４６の頂部が当接される突条部４８がフイルムロール室３２側の内壁４７ｂと一体に形成されている。
【００１７】
本体基部２１の縁部４６を溝４７に挿入してゆくと、縁部４６はリブ５０の斜面５０ａに沿ってフイルムロール室３２側に寄ってゆき、係合爪４５が係合孔４４に係合すると同時に溝４７のフイルムロール室３２側の内壁４７ｂに密着され、かつ縁部４６の頂部が突条部４８に当接される。これにより、縁部４６と内壁４７ａとの間に空間ができる。
【００１８】
係合孔４４と係合爪４５との係合が容易に行なわれるように、係合孔４４はわずかに大きく形成されており、係合爪４５が係合孔４４に係合した状態では、係合孔４４の一方の縁（溝４７の奥側の縁）と係合爪４５との間にわずかに隙間ができる。従来の紙箱を用いたレンズ付きフイルムユニットでは、係合孔４４と係合爪４５との隙間は紙箱で覆われるため、これが外光に直に曝されることはないが、帯状のラベル２０を用いた本実施形態では、この隙間は外光に直に曝されることになる。しかし、この隙間から外光Ｐが入射すると、外光Ｐは縁部４６と内壁４７ａとの空間に入るため、この奥に行くにしたがって縁部４６の面と内壁４７ａの面とで反射されながら減衰して弱まる。そして、縁部４６の頂部が突条部４８に当接し、かつ縁部４６の側面が溝４７の内壁４７ｂに密着しているから、外光Ｐがフイルムロール室３２内に浸入することがない。
【００１９】
また、縁部４６は突条部４８と係合孔４４の縁との間に挟まれるため、落下等の衝撃を受けても不用意に爪係合が解除されて縁部４６が溝４７から外れるようなことがない。また、側部２１ａの内壁面には段差４９が設けられており、係合爪４５が係合孔４４に係合した状態で段差４９にリブ５３の先端が当接し、フイルムロール室３２の内壁に段差ができないようになっている。なお、係合孔４４から外壁２３ａの縁部の頂部に至る間には、斜面５１が形成されており、後カバー２３を本体基部２１に被せて押しつけたとき、係合爪４５が係合孔４４に向かって案内されるようになっている。
【００２０】
図４において、フイルムロール室３２の後カバー２３側の上下隅には、凹部３２ａ，３２ｂが形成されている。これら凹部３２ａ，３２ｂに、後カバー２３を本体基部２１に装着した際、溝４７を構成するリブ５３（図１及び図３参照）の両端部がそれぞれ嵌合される。これにより、フイルムロール室３２の上下隅から回り込んでフイルムロール室３２内に浸入する外光が防止される。
【００２１】
このように構成されたレンズ付きフイルムユニット１０を組み立てるには、本体基部２１の前面に露光ユニット２７及びストロボユニット２８が取り付けられた後、この上から前カバー２２が爪係合によって装着される。次に、前カバー２２が装着された本体基部２１は暗室内のフイルム装填工程に搬送され、ここでパトローネ本体３３と、これから未露光の写真フイルム３４が引き出されてロール状にされたフイルムロール３４ａとが、それぞれパトローネ室３１とフイルムロール室３２とに収納される。
【００２２】
続いて、後カバー２３が本体基部２１の後側を覆うように装着される。これに際して、後カバー２３を本体基部２１に被せて押しつけてゆくと、本体基部２１の縁部４６が後カバー２３の溝４６に挿入されてゆく。この挿入が進むにつれて縁部４６がリブ５０の斜面５０ａに沿って溝４７のフイルムロール室３２側の内壁４７ｂに押しつけられてゆき、係合爪４５が係合孔４４に係合されると同時に縁部４６が内壁４７ｂに密着される。また、これと同時に縁部４６の頂部が突条部４８に当接される。また、凹部３２ａ，３２ｂにリブ５３の両端部がそれぞれ嵌合される。
【００２３】
こうして組み立てられたユニット本体１１の中央部には、縦方向にラベル２０が巻き付けられ、レンズ付きフイルムユニット１０が完成される。ユニット本体１１の両側部は外光に曝されたままであるから、図１に示すように、係合孔４４と係合爪４５との隙間から外光Ｐが射し込む。しかしながら、この外光Ｐは縁部４６と内壁４７ａとの空間を通って溝４７の奥に至る間に減衰するとともに、縁部４６は溝４７の内壁４７ｂに密着しているから、外光Ｐはフイルムロール室３２内に浸入することがない。また、リブ５３の両端部が凹部３２ａ，３２ｂに嵌合しているから、フイルムロール室３２の上下隅から外光Ｐがフイルムロール室３２内に浸入することもない。したがって、フイルムロール室３２の遮光性が保持され、この内部に収納された未露光の写真フイルム３４は、その写真性が良好な状態に維持される。
【００２４】
レンズ付きフイルムユニット１０を用いて撮影を行うときには、撮影者はまず巻上げノブ１７をフイルム巻上げ方向（図２に示した矢印方向）に回転操作してシャッターチャージを行い、撮影準備をする。この巻上げノブ１７の回転操作は回転が禁止されるまで行う。次に、ファインダ接眼窓２６から覗いて被写体を適当な位置にフレーミングし、シャッターボタン１６を押下すると、シャッター機構が作動して撮影レンズ１２を透過した被写体光が写真フイルム３４上に露光される。そして、巻上げノブ１７を回転操作すると、写真フイルム３４がフイルムロール室３２側からパトローネ室３１側に１コマ分だけ送行される。これにより、写真フイルム３４の露光済み部分がパトローネ本体３３内に巻き込まれ、未露光部分がアパーチャー３５の背面側にセットされる。
【００２５】
写真フイルム３４の全コマに撮影を行い、巻き上げノブ１７を回転操作すると、写真フイルム３４の全てがパトローネ本体３３内に巻き込まれる。そして、ユーザーが使用済みのレンズ付きフイルムユニット１０を現像取扱店に持っていき、ＤＰＥを依頼すると、このレンズ付きフイルムユニット１０は、更に現像所に集められる。現像所では、レンズ付きフイルムユニット１０の底部に露呈しているフイルム取り出し用の底蓋４１を開き、撮影済みの写真フイルム３４が巻き込まれたパトローネ本体３３を取り出してフイルム現像及びプリント処理を行う。そして現像取扱店を介して、プリント写真と現像済みのフイルムとがユーザーに返却される。
【００２６】
なお、上記実施形態においては、溝４７を後カバー２３側に形成したが、本体基部２１側に形成し、縁部４６を後カバー２３側に形成してもよい。また、斜面を有するリブを溝に沿って複数個間欠的に設けたが、例えば溝の外寄りの内壁の全体にわたって斜面を形成してもよい。
【００２７】
【発明の効果】
以上のように、本発明の遮光構造によれば、一方の縁部が挿入される溝内に斜面を設け、縁部を溝の内壁に密着させるとともに、係合爪が係合される係合孔を溝の反フイルムロール室側の壁の一部に形成し、係合孔の縁と係合爪との隙間から入射した外光が減衰して弱まる空間を溝の反フイルムロール室側の内壁面と縁部とで構成したので、簡単な構造でありながら爪係合の隙間が外光に曝された状態でもフイルムロール室の遮光性を確実に保持することができる。また、溝の奥に縁部の頂部が当接される突条部を形成すると、フイルムロール室の遮光性がより向上するとともに、縁部が突条部と係合孔の縁との間に挟まれるため、落下等の衝撃を受けた場合でも本体基部と後カバーとの爪係合が外れることがない。したがって、フイルムロール室の遮光性保持がより確実になる。また、フイルムロール室の後カバー側の上下隅に凹部を形成し、この凹部に後カバーの外壁との間に溝を形成するリブの上下端がそれぞれ嵌合されるようにしたので、フイルムロール室の上下隅から外光が回り込んでフイルムロール室内に浸入する恐れがなくなり、フイルムロール室の遮光性をより向上できる。
【図面の簡単な説明】
【図１】本発明の遮光構造を示す図３のＩ−Ｉ断面図である。
【図２】レンズ付きフイルムユニットの外観斜視図である。
【図３】図２に示したユニット本体の分解斜視図である。
【図４】フイルムロール室の上下隅の遮光構造を示す説明図である。
【符号の説明】
１０  レンズ付きフイルムユニット
１１  ユニット本体
２０  ラベル
２１  本体基部
２１ａ  側部
２２  前カバー
２３  後カバー
２３ａ  外壁
３２  フイルムロール室
３２ａ，３２ｂ  凹部
３４  写真フイルム
４４  係合孔
４５  係合爪
４６  縁部
４７  溝
４７ａ，４７ｂ  内壁
４８  突条部
５０，５３  リブ
５０ａ  斜面
【図１】
0003737178.tif 000002
【図２】
0003737178.tif 000003
【図３】
0003737178.tif 000004
【図４】
0003737178.tif 000005